(57)【特許請求の範囲】
【請求項１】
可撓性の樹脂シートにより形成され一部に注出口を有する内袋を設け、前記注出口を突出させる開口孔が形成された支持面と、この支持面に対して所定の間隔を開けて対向配置された背面と、前記支持面と前記背面との対向空間を囲繞する周壁面とを有する紙製の外箱を設け、前記内袋の前記注出口を前記開口孔から突出させるとともに前記注出口の周囲を前記支持面の内面に接着した状態で前記内袋を前記外箱に収納してなる内袋付き箱型容器において、
前記外箱の前記背面にこの背面の一部を切り欠く背面破断線を前記周壁面との境界をなす一辺の一端から他端に向けて形成し、前記外箱の前記支持面に前記周壁面との境界をなす一辺の両端から前記開口孔の両内側縁に向かう支持面破断線を形成し、前記外箱の前記周壁面の一部に前記背面破断線の両端から前記支持面破断線の両端に向かう二本の周壁面破断線を交叉させることなく配列して形成したことを特徴とする内袋付き箱型容器。
【発明の詳細な説明】
【０００１】
【発明の属する技術分野】
本発明は、合成樹脂製の内袋を紙製の外箱に収納してなる内袋付き箱型容器に関する。
【０００２】
【従来の技術】
従来、液体包装容器として、例えば、特開平５−２２９５７０号公報、特開平６−２４７４６６号公報、特開平７−１７５６４号公報等に記載されているように、可撓性の樹脂シートにより形成された内袋を紙製の外箱に収納してなる内袋付き箱型容器がある。このような内袋付き箱型容器では、内袋の注出口を外箱の一面に形成した開口孔から突出させ、また、内袋の注出口の周囲における形状保持性をよくするために、内袋の注出口の周囲の部分を、外箱の開口孔の周囲における内面に接着している。
【０００３】
前述した内袋付き箱型容器は、合成樹脂製の内袋と紙製の外箱とにより構成されているため、再利用せずに廃棄する場合には材料の異なる両者を分別する必要がある。このために、前述した公報に見られるように、外箱にミシン目を形成しておき、廃棄する場合には、外箱をミシン目の部分で切り分けて分解し、内袋の取り出しを可能にしているものがある。
【０００４】
【発明が解決しようとする課題】
前述したように、内袋の注出口の周囲における形状保持性をよくするために、内袋の注出口の周囲の部分は、外箱の開口孔の周囲における内面に接着されているので、その開口孔が形成された外箱の一面を破断すること、及び、その接着部分で内袋と外箱とを分離することは非常に困難である。
【０００５】
【課題を解決するための手段】
本発明は、可撓性の樹脂シートにより形成され一部に注出口を有する内袋を設け、前記注出口を突出させる開口孔が形成された支持面と、この支持面に対して所定の間隔を開けて対向配置された背面と、前記支持面と前記背面との対向空間を囲繞する周壁面とを有する紙製の外箱を設け、前記内袋の前記注出口を前記開口孔から突出させるとともに前記注出口の周囲を前記支持面の内面に接着した状態で前記内袋を前記外箱に収納してなる内袋付き箱型容器において、前記外箱の前記背面にこの背面の一部を切り欠く背面破断線を前記周壁面との境界をなす一辺の一端から他端に向けて形成し、前記外箱の前記支持面に前記周壁面との境界をなす一辺の両端から前記開口孔の両内側縁に向かう支持面破断線を形成し、前記外箱の前記周壁面の一部に前記背面破断線の両端から前記支持面破断線の両端に向かう二本の周壁面破断線を交叉させることなく配列して形成した。したがって、外箱の背面の一辺と背面破断線との間を押圧すると、背面破断線上で背面の一部が裂ける。その裂けた部分に形成された穴に手を掛けて周壁面を引っ張ると、二本の周壁面破断線とこれらの周壁面破断線に連続する支持面破断線とが裂けるため、背面の一部と周壁面の一部と支持面の一部とが連続した状態で分離される。これにより、外箱の支持面の開口孔が半月状に切り欠かれ、支持面に接着されていた内袋の注出口の周囲の一部から支持面の一部が剥離されて除去される。
【０００６】
ここで、背面破断線、支持面破断線、周壁面破断線は、ミシン目又は切り込み深さが外箱の板厚以下のハーフカットが適用される。
【０００７】
【発明の実施の形態】
本発明の実施の一形態を図面に基づいて説明する。１は直方体の形状をした外箱で、この外箱１の内部には内袋２が収納されている。この内袋２はキャップ３によって密閉される筒状の注出口４を有する。外箱１は、注出口３を突出させる開口孔５が形成されるとともに内袋２の注出口４の周囲の部分を接着状態で支持する支持面６と、この支持面６に対して所定の間隔を開けて対向配置された背面７と、支持面６と背面７との対向空間を囲繞する周壁面８，９，１０，１１とを有する。
【０００８】
そして、図１（ｂ）に示すように、前記外箱１の背面７には、この背面７の一部を切り欠く背面破断線１２が周壁面１１との境界をなす一辺１３の一端から他端に向けて形成されている。また、図１（ａ）に示すように、外箱１の支持面６には、周壁面１１との境界をなす一辺１４の両端から前記開口孔５の両内側縁に向かう支持面破断線１５が形成されている。さらに、外箱１の周壁面８，９，１１の一部、すなわち、周壁面８と周壁面１１との境界及び周壁面９と周壁面１１との境界には、背面破断線１２の両端から支持面破断線１５の両端に向かう二本の周壁面破断線１６，１７が交叉することなく平行に形成されている。
【０００９】
このような外箱１はダンボール紙等から形成される。図２に外箱１の展開図を示す。この展開状態では、周壁面８の一辺には周壁面１０が折り目１８を介して連続して形成され、周壁面８の反対側の一辺には周壁面１１が前記周壁面破断線１６を介して形成されている。また、外箱１として組み立てたときに周壁面１１に隣接する周壁面９の一辺にはフラップ１９が前記周壁面破断線１７を介して連続的に形成され、周壁面９の反対側の一辺にはフラップ２０が折り目２１を介して連続して形成され、周壁面９の支持面６とは反対側の一辺にはフラップ２２が折り目２３を介して連続して形成されている。さらに、前記支持面６の相対向する辺には、フラップ２４，２５が折り目２６，２７を介して連続して形成され、前記背面７の相対向する辺には、フラップ２８，２９が折り目３０，３１を介して連続して形成されている。
【００１０】
このように展開されたダンボール紙を外箱１として組み立てるには、フラップ１９，２０，２２，２４の表面の斜線領域Ａ、及び支持面６の内面の斜線領域Ｂに接着剤を塗布し、フラップ２２、支持面６、周壁面８、背面７の境界を、それぞれ折り目２３，３２，３３，３４上で折曲させ、フラップ２２の表面を背面７の内面に接着する。この過程で、或いは、この過程の後に、内袋２の注出口４を開口孔５の内方から外側に突出させ、その内袋２の注出口４の周囲を支持面６の内面に接着し、周壁面破断線１６，１７及び折り目２６，３０を折曲しフラップ２８をフラップ１９の内面に重ね、フラップ１９とこの上に重ねたフラップ２４とを周壁面１１の内面に接着する。さらに、折り目１８，２１，２７，３１を折曲してフラップ２５，２９をフラップ２０の内面に重ね、フラップ２０の表面を周壁面１０の内面に接着する。
【００１１】
このような構成において、外箱１の開口孔５から突出する注出口４からキャップ３を外すことにより、内袋２内の内容物が所望の部位に補給される。本実施の形態において、内袋２の内容物は画像形成に必要な液状のインクである。内袋２内の内容物が空になっても、再度内容物を注入して再利用を図ることができるが、ここでは廃棄する場合について説明する。
【００１２】
内袋２内の内容物が空になると、内袋２は収縮して背面７や周壁面８，９，１０，１１から離れるが注出口４の周囲は支持面６の内面に接着された状態に維持される。図１（ｂ）に示すように、周壁面１１を上に向けた状態で、背面７の一辺と背面破断線１２との間を押圧すると、背面破断線１２が裂ける。その裂けた部分に形成された穴に手を掛けて周壁面１１を引っ張ると、二本の周壁面破断線１６，１７とこれらの周壁面破断線１６，１７に連続する支持面破断線１５とが裂ける。このため、背面７の一部と周壁面８〜１１の一部（周壁面１１）と支持面６の一部とを連続した状態で分離することができる。これにより、内袋２の大部分を外箱１の外部に容易に取り出すことができる。また、支持面６の開口孔５が半月状に切り欠かれ、支持面６に接着されていた内袋２の注出口４の周囲の一部から支持面６の一部が剥離されて除去される。したがって、支持面６と内袋２との残りの接着部分を剥離する作業も容易である。
【００１３】
なお、本発明は、直方体、立方体の形状以外の外箱を用いる場合においても適用することが可能である。
【００１４】
【発明の効果】
本発明は、内袋の注出口を突出させる開口孔が形成された支持面と、この支持面に対して所定の間隔を開けて対向配置された背面と、前記支持面と前記背面との対向空間を囲繞する周壁面とを有する紙製の外箱を設け、前記内袋の前記注出口を前記開口孔から突出させるとともに前記注出口の周囲を前記支持面の内面に接着した状態で前記内袋を前記外箱に収納してなる内袋付き箱型容器において、前記外箱の背面にこの背面の一部を切り欠く背面破断線を前記周壁面との境界をなす一辺の一端から他端に向けて形成し、前記外箱の前記支持面に前記周壁面との境界をなす一辺の両端から前記開口孔の両内側縁に向かう支持面破断線を形成し、前記外箱の前記周壁面の一部に前記背面破断線の両端から前記支持面破断線の両端に向かう二本の周壁面破断線を交叉させることなく配列して形成したので、外箱の背面の一辺と背面破断線との間を押圧することにより、背面破断線を裂くことができ、その裂けた部分に形成された穴に手を掛けて周壁面を引っ張ることにより、二本の周壁面破断線とこれらの周壁面破断線に連続する支持面破断線とを裂くことができ、これにより、背面の一部と周壁面の一部と支持面の一部とを連続した状態で分離し、内袋の大部分を外箱の外部に容易に取り出すことができる。また、支持面の開口孔が半月状に切り欠かれ、支持面に接着されていた内袋の注出口の周囲の一部から支持面の一部が剥離されて除去されるので、支持面と内袋との残りの接着部分を容易に剥離することができる。
【図面の簡単な説明】
【図１】本発明の実施の一形態を示すもので、（ａ）は外箱を支持面側から見た斜視図、（ｂ）は外箱を背面側から見た斜視図である。
【図２】外箱の展開図である。
【符号の説明】
１            外箱
２            内袋
４            注出口
５            開口孔
６            支持面
７            背面
８〜１１      周壁面
１２          背面破断線
１５          支持面破断線
１６，１７    周壁面破断線
【図１】
0003718006.tif 000002
【図２】
0003718006.tif 000003